【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
遊技媒体を用いて遊技者が遊技を行うことが可能であり、付与条件が成立したことにもとづいて価値を付与する遊技機であって、
遊技の進行を制御する遊技制御用マイクロコンピュータと、
価値を付与する制御を行う付与制御用マイクロコンピュータと、を備え、
前記遊技制御用マイクロコンピュータと前記付与制御用マイクロコンピュータとは、シリアル通信で信号を入出力し、
前記遊技制御用マイクロコンピュータは、
所定期間が経過したか否かを判定する所定期間判定手段と、
前記付与制御用マイクロコンピュータとの通信接続状態を確認するための接続確認信号を、前記所定期間判定手段によって前記所定期間が経過したと判定される毎に前記付与制御用マイクロコンピュータに出力する接続確認信号出力手段と、
前記付与条件が成立したことにもとづいて、付与すべき価値の量を特定可能な付与データを記憶する付与記憶手段と、
前記付与記憶手段に記憶された付与データにもとづいて、付与すべき価値の量を特定可能な付与信号を前記付与制御用マイクロコンピュータに出力する付与信号出力手段と、
前記付与信号出力手段によって前記付与信号が出力されたことにもとづいて、前記接続確認信号出力手段による前記接続確認信号の出力を停止する停止手段と、を含み、
前記付与制御用マイクロコンピュータは、
前記接続確認信号出力手段が出力した前記接続確認信号を入力したことにもとづいて応答信号を前記遊技制御用マイクロコンピュータに出力する応答信号出力手段と、
前記付与信号出力手段により出力された前記付与信号で特定される量の未付与の価値を付与させる付与制御を実行する価値付与制御手段と、を含み、
前記応答信号出力手段は、前記遊技制御用マイクロコンピュータが制御状態を認識可能な態様で前記応答信号を前記遊技制御用マイクロコンピュータに出力し、
前記遊技制御用マイクロコンピュータは、さらに、
前記付与制御の実行を終了したときに、前記付与記憶手段に付与データが記憶されているか否かを判定する付与データ判定手段と、を含み、
前記付与信号出力手段は、前記付与データ判定手段によって前記付与記憶手段に付与データが記憶されていると判定されたときに、当該付与記憶手段に記憶された付与データにもとづいて、新たな付与信号を前記付与制御用マイクロコンピュータに出力し、
前記接続確認信号出力手段は、前記付与データ判定手段によって前記付与記憶手段に付与データが記憶されていないと判定されたときに、前記所定期間判定手段により前記所定期間が経過したと判定されたことにもとづいて、新たな接続確認信号を前記付与制御用マイクロコンピュータに出力する
ことを特徴とする遊技機。
【手続補正２】
【補正対象書類名】明細書
【補正対象項目名】０００１
【補正方法】変更
【補正の内容】
【０００１】
本発明は、遊技媒体を用いて遊技者が所定の遊技を行うことが可能であり、付与条件が成立したことにもとづいて価値を付与するパチンコ機やスロット機、パロット機などの遊技機に関する。
【手続補正３】
【補正対象書類名】明細書
【補正対象項目名】０００６
【補正方法】変更
【補正の内容】
【０００６】
上記特許文献１に記載された遊技機では、主基板と付与制御基板とが価値に関する双方向通信を行うことによりお互いの状態を確認することが可能であるが、制御状態（例えば、エラー）に関して付与制御基板がコマンドを出力しようとすると、コマンドの出力タイミングがイレギュラーになり、主基板が付与制御基板からのコマンドを正確に入力することができないおそれがある。
【手続補正４】
【補正対象書類名】明細書
【補正対象項目名】０００７
【補正方法】変更
【補正の内容】
【０００７】
そこで、本発明は、主基板と付与制御基板が双方向のシリアル通信を行う遊技機において、コマンドの出力タイミングを考慮することなくコマンドの取りこぼし等の発生を防止することができる遊技機を提供することを目的とする。
【手続補正５】
【補正対象書類名】明細書
【補正対象項目名】０００８
【補正方法】変更
【補正の内容】
【０００８】
本発明による遊技機は、遊技媒体（例えば、遊技球）を用いて遊技者が遊技を行うことが可能であり、付与条件が成立したこと（例えば、遊技球が入賞口に入賞したこと）にもとづいて価値を付与する遊技機であって、遊技の進行を制御する遊技制御用マイクロコンピュータ（例えば、遊技制御用マイクロコンピュータ５６０）と、価値を付与する制御を行う付与制御用マイクロコンピュータ（例えば、払出制御用マイクロコンピュータ３７０）と、を備え、遊技制御用マイクロコンピュータと付与制御用マイクロコンピュータとは、シリアル通信で信号を入出力し（例えば、遊技制御用マイクロコンピュータ５６０と払出制御用マイクロコンピュータ３７０とは、それぞれシリアル通信回路５０５，３８０を内蔵し、図２４に示す払出制御コマンドをシリアル通信で送受信する）、遊技制御用マイクロコンピュータは、所定期間（例えば、１秒）が経過したか否かを判定する所定期間判定手段（例えば、遊技制御用マイクロコンピュータ５６０におけるステップＳ５２３１３を実行する部分）と、付与制御用マイクロコンピュータとの通信接続状態を確認するための接続確認信号（例えば、接続確認コマンド）を、所定期間判定手段によって所定期間が経過したと判定される毎に付与制御用マイクロコンピュータに出力する接続確認信号出力手段（例えば、遊技制御用マイクロコンピュータ５６０においてステップＳ５２３１３でＹと判定した後にステップＳ５２１１を実行する部分）と、付与条件が成立したこと（例えば、遊技球が入賞口に入賞したこと）にもとづいて、付与すべき価値の量（例えば、賞球個数）を特定可能な付与データ（例えば、賞球コマンド出力カウンタのカウント値）を記憶する付与記憶手段（例えば、賞球コマンド出力カウンタ）と、付与記憶手段に記憶された付与データにもとづいて、付与すべき価値の量を特定可能な付与信号（例えば、賞球個数コマンド）を付与制御用マイクロコンピュータに出力する付与信号出力手段（例えば、遊技制御用マイクロコンピュータ５６０におけるステップＳ５２３０５を実行する部分）と、付与信号出力手段によって付与信号が出力されたことにもとづいて、接続確認信号出力手段による接続確認信号の出力を停止する停止手段（例えば、遊技制御用マイクロコンピュータ５６０において、賞球送信処理２のステップＳ５２３０５で賞球個数コマンドを送信した後に、接続確認コマンドを送信する賞球送信処理１に移行せずに賞球受領確認処理に移行（ステップＳ５２３０６参照）することによって、接続確認コマンドの送信を停止する部分。例えば、遊技制御用マイクロコンピュータ５６０は、図３９に示す賞球送信処理１においてのみ接続確認コマンドを送信する処理（ステップＳ５２１１参照）を行い、賞球個数コマンド送信後に移行される図４２に示す賞球受領確認処理では接続確認コマンドを送信する処理を行わない。）と、を含み、付与制御用マイクロコンピュータは、接続確認信号出力手段が出力した接続確認信号を入力したことにもとづいて応答信号（例えば、接続ＯＫコマンド）を遊技制御用マイクロコンピュータに出力する応答信号出力手段（例えば、払出制御用マイクロコンピュータ３７０におけるステップＳ７４１５，Ｓ７４２０８を実行する部分）と、付与信号出力手段により出力された付与信号で特定される量の未付与の価値を付与させる付与制御を実行する価値付与制御手段（例えば、払出制御用マイクロコンピュータ３７０におけるステップＳ７５１１３の処理が実行されて払出モータ２８９が起動され、ステップＳ７５６の払出モータ制御処理が実行される部分）と、を含み、応答信号出力手段は、遊技制御用マイクロコンピュータが制御状態を認識可能な態様で応答信号を遊技制御用マイクロコンピュータに出力し（例えば、払出制御用マイクロコンピュータ３７０は、ステップＳ７４１４，Ｓ７４２０７の処理を実行して、図２５に示すように接続ＯＫコマンドの下位４ビットに賞球エラーや満タンエラー、球切れエラー、払出個数異常エラーをセットして送信する）、遊技制御用マイクロコンピュータは、さらに、付与制御の実行を終了したときに、付与記憶手段に付与データが記憶されているか否かを判定する付与データ判定手段（例えば、遊技制御用マイクロコンピュータ５６０におけるステップＳ５２５０３でＹと判定されステップＳ５２５０４が実行されて賞球送信処理２に移行したときにステップＳ５２３０１を実行する部分）と、を含み、付与信号出力手段は、付与データ判定手段によって付与記憶手段に付与データが記憶されていると判定されたときに、当該付与記憶手段に記憶された付与データにもとづいて、新たな付与信号を付与制御用マイクロコンピュータに出力し（例えば、遊技制御用マイクロコンピュータ５６０は、ステップＳ５２３０１でＹと判定したことにもとづいてステップＳ５２３０５を実行して新たな賞球個数コマンドを送信する）、接続確認信号出力手段は、付与データ判定手段によって付与記憶手段に付与データが記憶されていないと判定されたときに、所定期間判定手段により所定期間が経過したと判定されたことにもとづいて、新たな接続確認信号を付与制御用マイクロコンピュータに出力する（例えば、遊技制御用マイクロコンピュータ５６０は、ステップＳ５２３０１でＮと判定した後にステップＳ５２３１３でＹとなって賞球送信処理１に移行し、ステップＳ５２１１を実行して新たな接続確認コマンドを送信する）ことを特徴とする。そのような構成により、シリアル通信方式を用いることにより、遊技制御用マイクロコンピュータと付与制御用マイクロコンピュータとの配線の取り回しの容易化を図ることができる。また、付与制御用マイクロコンピュータが接続確認信号の入力にもとづいて定期的に出力する応答信号に制御状態を乗せることにより、制御状態信号（制御状態が付加された応答信号）を出力することができるため、制御状態信号の出力タイミングを考慮することなく制御状態信号の取りこぼし等の発生を防止することができ、遊技制御用マイクロコンピュータと付与制御用マイクロコンピュータとの間の通信を確実に行うことができる。